(57)【要約】電気エネルギー電源と、コンデンサと、さらに、生命にかかわる潜在的な心律動を検知する演算回路構成要素とを収容する電気的に有効なキャニスタを備えた皮下埋め込み型の除細動装置を開示している。キャニスタと対向する極性を有する電極として機能する少なくとも１つの皮下電極が、リードシステムを用いてキャニスタに取り付けられている。演算回路構成要素が潜在的な生命にかかわる心律動を検知すると除細動エネルギーが伝播される。経静脈用、心臓内または心内膜用には電極は配置していない。さらに、該方法を実施するための装置一式と同様に、除細動器を皮下に埋め込む方法も開示している。
2004508149.tif 000002
【特許請求の範囲】
【請求項１】
皮下埋め込み型除細動器であって、
（ａ）　電気有効性を有するキャニスタが前記除細動器の陽極または陰極のいずれか一方として機能し、前記キャニスタが電気エネルギー源と、コンデンサと、生命にかかわる潜在的な心律動の有無を検知する演算回路構成要素とを備え、
（ｂ）　前記キャニスタ（陽極または陰極のいずれか一方）とは反対の電極として機能する皮下電極をさらに備え、
（ｃ）　前記電極をキャニスタに電気的に取り付けるリードシステムをさらに備え、
（ｄ）　前記演算回路構成要素が生命にかかわる潜在的な心律動を検知すると、選択的除細動／除細動を実施するための電気的エネルギーを伝送する手段をさらに備え、また、
（ｅ）　経静脈用電極、心内膜用電極、心外膜用電極は備えない、
皮下埋め込み型除細動器。
【請求項２】
前記電気的な選択的除細動／除細動電圧が８００Ｖと同値またはそれ以上である、請求項１に記載の皮下埋め込み型除細動器。
【請求項３】
前記選択的除細動／除細動を実施するための電気的エネルギーが約４０〜１５０ジュールの範囲内である、請求項１に記載の皮下埋め込み型除細動器。
【請求項４】
前記皮下電極が複合電極であって、
（ａ）　選択的除細動／除細動電極と、
（ｂ）　第１検知電極と、
（ｃ）　電気絶縁され、前記第１検知電極から離間している第２検知電極
とを含む、請求項１に記載の皮下埋め込み型除細動器。
【請求項５】
前記第１検知電極が、前記皮下電極の末端部分に配置されており、前記第２検知電極が前記第１検知電極の約１〜１０ｃｍ付近の場所に配置されている、請求項４に記載の皮下埋め込み型除細動器。
【請求項６】
前記第１、第２検知電極の間隔が約４ｃｍである、請求項５に記載の皮下埋め込み型除細動器。
【請求項７】
前記第１検知電極が該皮下電極の末端部分に配置され、前記選択的除細動／除細動電極が前記第１検知電極付近に配置され、また、前記第２検知電極が該選択的除細動／除細動検知電極付近に配置されている、請求項４に記載の皮下埋め込み型除細動器。
【請求項８】
前記選択的除細動／除細動検知電極が前記皮下電極の該末端部分に配置されており、前記第１検知電極が該該選択的除細動／除細動検知電極付近に配置されており、前記第２検知電極が前記第１検知電極の約１〜１０ｃｍ付近の場所に配置されている、請求項４に記載の皮下埋め込み型除細動器。
【請求項９】
前記第１、第２検知電極の間隔が約４ｃｍである、請求項８に記載の皮下埋め込み型除細動器。
【請求項１０】
前記演算回路構成要素が、さらに徐脈リズムの存在も検知する、請求項１に記載の皮下埋め込み型除細動器。
【請求項１１】
前記演算回路構成要素が徐脈リズムを検知すると心臓を律動させるエネルギーを伝送する手段をさらに含む、請求項１０に記載の皮下埋め込み型除細動器。
【請求項１２】
前記演算回路構成要素がプログラム可能である請求項１に記載の皮下埋め込み型除細動器。
【請求項１３】
前記演算回路構成要素が頻脈を検出することが可能な、請求項１に記載の皮下埋め込み型除細動器。
【請求項１４】
前記演算回路構成要素が頻脈リズムを検知すると、抗頻脈ペースを伝播する手段をさらに備える、請求項１３に記載の皮下埋め込み型除細動器。
【請求項１５】
検出された前記心室性頻脈が毎分２４０以上である、請求項１３に記載の皮下埋め込み型除細動器。
【請求項１６】
前記演算回路構成要素が心房性頻脈および心房性細動を検出可能である、請求項１に記載の皮下埋め込み型除細動器。
【請求項１７】
前記演算回路構成要素が心室性頻脈および心室性細動を誘発可能である、請求項１に記載の皮下埋め込み型除細動器。
【請求項１８】
前記心室性頻脈または心室性細動がＴ波上の衝撃によって誘発される、請求項１７に記載の皮下埋め込み型除細動器。
【請求項１９】
前記心室性頻脈または心室性細動が、１心周期の間に印加される低い直流電圧により誘発される、請求項１７に記載の皮下埋め込み型除細動器。
【請求項２０】
前記選択的除細動／除細動を実施するための電気的エネルギーが約８００〜２０００Ｖの範囲内にある、請求項２に記載の皮下埋め込み型除細動器。
【請求項２１】
前記選択的除細動／除細動を実施するための電気的エネルギーが二相波形の形態で伝送される、請求項１に記載の皮下埋め込み型除細動器。
【請求項２２】
前記静電容量が約５０〜２００マイクロファラドである、請求項１に記載の皮下埋め込み型除細動器。
【請求項２３】
前記キャニスタが適応性を有する、請求項１に記載の皮下埋め込み型除細動器。
【請求項２４】
前記キャニスタが少なくとも１つの検知電極を備えている、請求項１に記載の皮下埋め込み型除細動器。
【請求項２５】
前記キャニスタが、１つまたはそれ以上の検知電極を備え、前記皮下電極が１つまたはそれ以上の検知電極を備え、また、前記キャニスタ上に配置された該検知電極と、十分なＱＲＳ波の検出が得られる該皮下電極に配置された前記検知電極から２つの検知電極を選択する手段とを含む、請求項１に記載の皮下埋め込み型除細動器。
【請求項２６】
前記キャニスタと反対の極性を有する電極（陽極または陰極）として機能する追加の皮下電極と、最初に配置された皮下電極と同一の両極性とを備える、請求項１に記載の皮下埋め込み型除細動器。
【請求項２７】
最初に設けた皮下用電極（陽極または陰極）と対極にあり、前記キャニスタと同一の極性を備えた電極として機能する追加の皮下用電極を備えた請求項１に記載の皮下への埋込みが可能な除細動器。
【請求項２８】
前記選択的除細動／除細動を実施するための電気的エネルギーが、合計で１０〜２０ミリ秒間の間継続して、また、前記伝送されたエネルギーの約２／３を含有している初期の正相形態で伝送される、請求項１に記載の皮下埋め込み型除細動器。
【請求項２９】
前記皮下電極の末端部分に、前記皮下電極を付近の組織に取り付けるための取り付け部材をさらに備える、請求項１に記載の皮下埋め込み型除細動器。
【請求項３０】
前記演算回路構成要素が、呼吸中に発生した胸部を経由するインピーダンスにおける脈拍変動を測定するためのインピーダンス検出を実施する、請求項１に記載の皮下埋め込み型除細動器。
【請求項３１】
前記演算回路構成要素がさらに、胸部を経由するインピーダンスを用いて心拍出量を測定する、請求項３０に記載の皮下埋め込み型除細動器。
【請求項３２】
検出された心房性細動を治療するために、前記演算回路構成要素が除細動エネルギーを伝送できる、請求項１６に記載の皮下埋め込み型除細動器。
【請求項３３】
前記キャニスタが長く、薄型で、湾曲した形状であるため、患者の肋骨付近および該肋骨と平行した部分の皮下に埋め込み可能である、請求項１に記載の皮下埋め込み型除細動器。
【請求項３４】
患者に皮下埋め込み型除細動器を埋め込む方法であって、
（１）　前記患者の胸郭範囲内において皮膚を１箇所のみ切開する段階と、
（２）　該胸郭範囲内に皮下経路を形成するために、湾曲形状のイントロデューサを前記皮膚切開部分から挿入する段階とをさらに備え、これにより、前記経路がある場所の皮下において終端するため、前記皮膚切開部分から該経路終端部分にまで直線を引いた際に、前記直線が該患者の心臓を横断するようになり、
（３）電極を、前記経路終端部分における皮下に埋め込む段階と、
（４）　電気有効性のキャニスタを前記皮膚切開部位における皮下に配置する段階とをさらに備え、この場合、前記キャニスタが電気エネルギー源と、潜在的な生命にかかわる心律動の存在を検知する演算回路構成要素とを備え、さらに、該キャニスタを陽極または陰極として使用し、前記電極を該キャニスタと対向する極として使用して、選択的除細動／除細動を実施するための電気エネルギーを伝送する手段を備え、前記キャニスタが該電極と電気接続しており、
（５）　前記皮膚切開部分を閉鎖する段階をさらに備える、
皮下埋め込み型除細動器を埋め込む方法。
【請求項３５】
前記湾曲形状のイントロデューサを用いて局部麻酔剤を注入する段階をさらに備える、請求項３４に記載の皮下埋め込み型除細動器を埋め込む方法。
【請求項３６】
前記皮膚切開部分が、ほぼ前記患者の心尖部の高さにおける左前腋窩腺に設けられている、請求項３４に記載の皮下埋め込み型除細動器を埋め込む方法。
【請求項３７】
前記電極が、左肩甲骨に対して側方の左後腋窩腺における皮下に埋め込まれている、請求項３６に記載の皮下埋め込み型除細動器を埋め込む方法。
【請求項３８】
前記キャニスタが、患者の左乳腺下における皺内部の皮下に埋め込まれる、請求項３６に記載の皮下埋め込み型除細動器を埋め込む方法。
【請求項３９】
前記皮膚切開部分が、患者の左肩甲骨の先端側方の高さにおける、左後腋窩腺内に設けられている、請求項３４に記載の皮下埋め込み型除細動器を埋め込む方法。
【請求項４０】
前記電極が患者の前胸部範囲内に埋め込まれている、請求項３９に記載の皮下埋め込み型除細動器を埋め込む方法。
【請求項４１】
前記電極が患者の乳腺下における皺内に埋め込まれる、請求項４０に記載の皮下埋め込み型除細動器を埋め込む方法。
【請求項４２】
前記演算回路構成要素が徐脈リズムの存在を検出可能である、請求項３４に記載の皮下埋め込み型除細動器を埋め込む方法。
【請求項４３】
前記装置が、電気により心臓を律動させるペーシングエネルギーを伝送する手段を備えている、請求項４２に記載の皮下埋め込み型除細動器を埋め込む方法。
【請求項４４】
皮下埋め込み型除細動器一式であって、
（ａ）　前記皮下埋め込み型除細動器を収容するためのトレーと、
（ｂ）　前記除細動器の陽極または陰極のいずれか一方として機能する電気有効性キャニスタとを備え、前記キャニスタが電気エネルギー源を収容するハウジングと、前記トレーに記録された潜在的な生命にかかわる心律動を検知する演算回路構成要素とを収容し、
（ｃ）　前記トレー内に収容された前記キャニスタと対向する極性（陽極または陰極）を有する電極として機能する電極と、
（ｄ）　前記電極を該トレー内に収容した前記キャニスタに電気的に取り付けるリードシステムと、また、
（ｅ）　前記演算回路構成要素が該トレイ内に記憶された潜在的に生命にかかわる心律動を検知すると、選択的除細動／除細動を実施するための電気的エネルギーを伝送する手段とをさらに備えている、
皮下埋め込み型除細動器器具一式。
【請求項４５】
前記トレー内に収容された湾曲形状のイントロデューサをさらに備える、請求項４４に記載の皮下埋め込み型除細動器器具一式。
【請求項４６】
前記トレー内に収容された湾曲形状のイントロデューサを用いて注入する局部麻酔剤を含む、請求項４５に記載の皮下埋め込み型除細動器器具一式。
【請求項４７】
前記器具一式内に収容された、湾曲形状で硬質なピールアゥエイシースをさらに備えている、請求項４５に記載の皮下埋め込み型除細動器一式。
【請求項４８】
皮下埋め込み用の除細動器であって、
選択的除細動／除細動回路構成要素を封入および収容している生体適合可能なハウジングを含み、前記生体適合可能なハウジングの外面上に少なくとも１つの導電性表面を画定し、前記選択的除細動／除細動回路構成要素に電気的に接続したキャニスタを備え、
本質的に適合性があり、誘導可能なカニューラを含む電気的に不活性なリードをさらに備え、
前記電気的に不活性であり、また、少なくとも１つの導電性表面へと電気治療を伝送するべく前記選択的除細動／除細動回路構成要素に電気的につながれた、末端部分に形成されたリード電極とを有する、
皮下埋め込み用の除細動器。
【請求項４９】
前記少なくとも１つの導電性表面上に形成されており、該導電性表面から電気絶縁され、また、前記選択的除細動／除細動回路構成要素に電気的につながれている少なくとも１つの検知電極をさらに備える、請求項４８に記載の除細動器。
【請求項５０】
前記生体適合可能なハウジングの外面上に画定され、前記少なくとも１つの導電性表面と並置された少なくとも１つの電気絶縁された表面を備える、請求項４８に記載の皮下埋め込み用の除細動器。
【請求項５１】
前記少なくとも１つの電気絶縁されている表面上に形成され、前記選択的除細動／除細動回路構成要素に電気的につながれた少なくとも１つの電気絶縁をさらに備える、請求項５０に記載の除細動器。
【請求項５２】
少なくとも１つの導電性表面を少なくとも１つの電気絶縁された表面と境界を介し、少なくとも１つの電気絶縁した表面内に密集させた導電性表面を画定する焦点許容範囲をさらに備える、請求項５０に記載の除細動器。
【請求項５３】
前記少なくとも１つの電気絶縁した表面が、少なくとも１つのシリコン、ポリウレタン、セラミック、電気的に接合したチタン・セラミック、パリレンコーティングを施した材料、および類似の特徴を有する生体適合可能な材料で構成されている、請求項５０に記載の除細動器。
【請求項５４】
前記選択的除細動／除細動回路構成要素と一体に形成された回路構成要素をモニタリングし、ＱＲＳ信号形態、ＱＲＳ信号周波数内容、ＱＲＳ　Ｒ−Ｒ区間安定性データ、ＱＲＳ振幅特徴の内の少なくとも１つに関連した生理学的方法をさらに備える、請求項４８に記載の除細動器。
【請求項５５】
パルス発生器をさらに備え、前記パルス発生器が、前記選択的除細動／除細動回路構成要素と一体に形成され、該少なくとも１つの導電性表面と、前記選択的除細動／除細動回路構成要素に反応する該リード電極とを介して、抗不整脈治療のための抗不整脈波形を生成する、請求項４８に記載の除細動器。
【請求項５６】
前記パルス発生器が、約５０〜２００μＦ間の静電容量と、約８００〜２０００Ｖの電圧と、４０〜１５０Ｊのエネルギーと、約５〜２５ミリ秒の継続時間のうち少なくとも１つを有する特徴を持った二相波形としての抗不整脈波形を生成する、請求項５５に記載の除細動器。
【請求項５７】
約２４０ｂｐｍの心室速度が少なくとも４秒間の間隔にかけて継続すると、前記抗不整脈治療を開始する前記選択的除細動／除細動回路構成要素をさらに備えている、請求項５６に記載の除細動器。
【請求項５８】
約２４０ｂｐｍの心室速度が少なくとも４秒間の間隔にかけて継続すると、前記抗不整脈治療を確認する前記選択的除細動／除細動回路構成要素をさらに備えている、請求項５６に記載の除細動器。
【請求項５９】
約２４０ｂｐｍの心室速度が少なくとも１秒間の間隔にかけて継続すると、前記抗不整脈治療を終了する前記選択的除細動／除細動回路構成要素をさらに備えている、請求項５６に記載の除細動器。
【請求項６０】
電源構成要素をさらに備え、前記電源構成要素が、前記選択的除細動／除細動回路要素と一体に形成されており、本質的に４つまたはそれ以上の電池と、追加の４つまたはそれ以上のコンデンサとによって構成されており、さらに、前記抗不整脈波形の生成に十分な電力を供給する、請求項５６に記載の除細動器。
【請求項６１】
ペーシング回路要素をさらに備え、前記ペーシング回路要素が前記選択的除細動／除細動回路構成要素と動作可能に結合しており、さらに、該少なくとも１つの導電性表面と前記リード電極とを介して、選択的除細動／除細動回路構成要素に対して反応する抗徐脈および抗頻脈ペーシング波形の内の少なくとも１つを生成する、請求項４８に記載の除細動器。
【請求項６２】
誘導回路構成要素をさらに備え、前記誘導回路構成要素が前記選択的除細動／除細動回路構成要素と一体に形成されており、さらに、前記選択的除細動／除細動回路要素に反応する前記少なくとも１つの導電性表面と前記リード電極とを介して、ＥＣＧのＴ波上の低振幅電圧を生成する、請求項４８に記載の除細動器。
【請求項６３】
前記生体適合可能なハウジングの外縁に沿って連続的に形成された下方向に向かう先細りが、前記電気的に不活性なリードとの接続部分と対向した表面において実質的に終端している、請求項４８に記載の除細動器。
【請求項６４】
前記下方向に向かう先細り部分と対向する側の周囲に連続的に形成された１対の片側が収束した先細り部分が、前記電気不活性リードとの接続部分と対向した表面において実質的に終端している、請求項６３に記載の除細動器。
【請求項６５】
前記生体適合可能なハウジングに対してほぼ軸方向に連続的に形成された１ラジアンのベンド部分を備える、請求項４８に記載の除細動器。
【請求項６６】
前記生体適合可能なハウジングをほぼ横断するべく画定され、少なくとも１つの四角形状および矩形形状である断面をさらに有する、請求項６５に記載の除細動器。
【請求項６７】
前記生体適合可能なハウジングの外面上に形成された、細分割可能で皺加工を施した少なくとも１つの表面をさらに備える、請求項４８に記載の除細動器。
【請求項６８】
生体適合可能なハウジングが、チタン合金と、これと類似した特徴を有する、可鍛性材料の生体適合可能な材料のうち少なくとも１つから成る、請求項４８に記載の除細動器。
【請求項６９】
モニタリング回路構成要素をさらに備え、前記モニタリング回路構成要素が前記選択的除細動／除細動回路構成要素と一体に形成され、また、少なくとも１本の前記リード電極および少なくとも１つの導電性表面を介して、生理学的方法を実行する、請求項４８に記載の除細動器。
【請求項７０】
電気的に不活性なリードの円周上でない部分に形成され、その全長にかけて約１０ｃｍ未満の電気有効性の構成要素となっている前記リード電極をさらに備えている、請求項４８に記載の除細動器。
【請求項７１】
前記リード電極が高圧および低いインピーダンスの回路構成要素と接続している、請求項４８に記載の除細動器。
【請求項７２】
前記電気的に不活性なリード上に形成された複数の検知電極をさらに有し、前記検知電極の各々が低圧および高いインピーダンスの回路構成要素と接続している、請求項７１に記載の除細動器。
【請求項７３】
前記のような検知電極の各々が前記リード電極の末端部分に形成されている、請求項７２に記載の除細動器。
【請求項７４】
前記のような検知電極の各々が前記リード電極の基端部分に形成されている、請求項７２に記載の除細動器。
【請求項７５】
前記のような少なくとも１つの検知電極が前記リード電極の末端部分に形成され、前記のような少なくとも１つの検知電極が前記リード電極の基端部分に形成されている前記リード電極の末端部分に形成されている、請求項７２に記載の除細動器。
【請求項７６】
前記のような少なくとも１つの検知電極が、前記電気的に不活性なリード上に非円周形状にて形成されている、請求項７２に記載の除細動器。
【請求項７７】
さらに少なくとも１つの電気的に不活性なリードが本質的に適合性がありであり、誘導可能なカニューラが前記キャニスタの基端部分に接続しており、
さらに少なくとも１本のリード電極が、さらに少なくとも１本の電気的に不活性なリードの末端部分に電極形成され、また、前記選択的除細動／除細動回路構成要素と電気的に接続しており、
前記少なくとも１つの導電性表面と、前記電気的に不活性なリード上の１つまたはそれ以上のリード電極の間で、電気治療を選択的に伝送するために回路構成要素の切り替えを行う、
請求項４８に記載の除細動器。
【請求項７８】
蛇行状のリード埋め込みを形成するために、複数の柔軟な曲げ部分が電気的に不活性なリード内に形成されている、請求項４８に記載の除細動器。
【請求項７９】
安全なリード埋め込みを形成するために、前記電気的に不活性なリードの末端部分に堅固に取り付けられた固定セグメントが取り付けられている、請求項４８に記載の除細動器。
【請求項８０】
前記電気的に不活性なリードが、少なくとも１つのシリコン、ポリウレタン、セラミック、およびこれらと類似の特徴を有する生体適合可能な材料から成る、請求項４８に記載の除細動器。
【請求項８１】
最小の侵襲度において埋め込みを行うための電気有効性のキャニスタを備えた皮下用除細動器であって、
皮下埋め込み型キャニスタを備え、前記キャニスタが、滅菌可能で生体適合可能性を有し、電気的に絶縁されたコネクタブロックを介して前記生体適合可能なハウジングを通ることで接続可能な選択的除細動／除細動回路構成要素を封入および収容するハウジングを備えており、前記生体適合可能なハウジングが少なくとも１つの導電性表面を画定し、
電気的に不活性なリードをさらに備え、前記リードが、前記電気的に絶縁されたコネクタブロックと適応可能に接続している、１つまたはそれ以上の導体を封入および誘導する本質的二に適合性があり、誘導可能なカニューラを含み、
リード電極をさらに備え、前記リード電極が前記電気的に不活性なリードの末端部分上に形成され、前記１つまたはそれ以上の導体を用いて、前記選択的除細動／除細動回路構成要素と電気的に接続しているために、前記少なくとも１つの導電性表面に電気的な治療を伝送することが可能である、
皮下用除細動器。
【請求項８２】
前記リード電極がさらに、検知回路構成要素と接続しており、また、前記選択的除細動／除細動回路へ検知機能を提供する、請求項８１に記載の皮下用除細動器。
【請求項８３】
密集した導電性表面をさらに備え、前記表面が心臓に面した前記生体適合可能なハウジング周囲に画定されている、請求項８１に記載の皮下用除細動器。
【請求項８４】
前記生体適合可能なハウジングの表面周囲に画定された、少なくとも１つの電気的に絶縁された表面をさらに備え、前記ハウジングが心臓と反対方向を向いており、前記少なくとも１つの導電性表面と近接している、請求項８１に記載の皮下用除細動器。
【請求項８５】
少なくとも１つの導電性表面と少なくとも１つの電気的に絶縁された表面の間に実質的に介在している絶縁範囲をさらに備える、請求項８４に記載の皮下用除細動器。
【請求項８６】
少なくとも１つの検知電極をさらに備え、前記検知電極が前記少なくとも１つの導電性表面上に形成され、また該表面から電気的に絶縁され、さらに検知回路要素と電気的に接続しており、前記選択的除細動／除細動回路構成要素に検知機能を提供する、請求項８１に記載の皮下用除細動器。
【請求項８７】
前記生体適合可能なハウジングと隣接し、前記少なくとも１つの導電性表面にとって重要である前記少なくとも１つの各導電性材料の周囲に電気的に絶縁された表面をさらに備えている、請求項８６に記載の皮下用除細動器。
【請求項８８】
複数の検知電極をさらに備え、前記検知電極が電気的に不活性なリード上に形成され、１つまたはそれ以上の導体を介して、前記選択的除細動／除細動乖離構成要素と電気的に接続しており、さらに、前記検知電極の各々が検知回路構成要素と接続しており、前記選択的除細動／除細動回路構成要素に検知機能を提供する、請求項８１に記載の皮下用除細動器。
【請求項８９】
さらに、前記検知電極の各々が前記リード電極の末端部分、および前記リード電極の基端部分、さらに前記リード電極に近接した少なくとも１つの範囲を備えた範囲内に形成されている、請求項８８に記載の皮下用除細動器。
【請求項９０】
さらに、少なくとも１つのこうした検知電極が、前記電気的に不活性なリードの内部表面に沿った外周でない部分に形成されている、請求項８８に記載の皮下用除細動器。
【請求項９１】
前記生体適合可能なハウジングの外部縁に沿って連続的に形成された下方向に向かう先細り部分が、本質的に前記コネクタブロックと反対側の表面にて終端しており、
前記下方に向かう先細り部分の反対側の周囲に連続的に形成された一対の半収束先細り部分を備え、実質的に前記コネクタブロックの反対側の前記表面にて終端している、請求項８１に記載の皮下用除細動器。
【請求項９２】
さらに、１ラジアンのベンド部分が、前記生体適合可能なハウジングに対してほぼ軸方向に向かって連続的に形成されている、請求項８１に記載の皮下用除細動器。
【請求項９３】
本質的に適合性があり且つ誘導可能なカニューレを含み、少なくとも１つの電気的に不活性なリードをさらに備え、前記カニューレが前記電気的に絶縁されたコネクタブロックと適合可能に接続された１つまたはそれ以上の導体を包囲および誘導し、
少なくとも１つのリード電極をさらに備え、前記リード電極が前記少なくとも１つの電気的に不活性な追加のリードの末端部分上に形成され、さらに、１つまたはそれ以上の導体を介して、前記選択的除細動／除細動用回路構成要素に電気的に接続されていることにより、前記少なくとも１つの伝導性表面への電気的治療の伝播が可能になり、
切り替え回路構成要素をさらに備え、前記切り替え回路構成要素が、前記少なくとも１つの導電性表面と、前記電気的に不活性なリード上の１つまたはそれ以上の前記リード電極の間において電気治療を選択的に伝播するために、選択的除細動／除細動用回路構成要素を介しての制御可能である、請求項８１に記載の皮下用除細動器。
【請求項９４】
固定用セグメントをさらに備えており、軟組織内への安全なリード埋め込みを実施するために、前記固定用セグメントが、前記電気的に不活性なリードの末端部分に堅固に取り付けられた電気的に不活性な固定用装置を含む、請求項８１に記載の皮下用除細動器。
【請求項９５】
前記選択的除細動／除細動回路構成要素と一体に形成されており、抗不整脈のための二相波を発生するパルス発生器をさらに備え、前記二相波が、約５０〜２００μＦの静電容量、約８００〜２０００Ｖの電圧、４０〜１５０Ｊのエネルギー、および約５〜２５ミリ秒の継続時間のうち少なくとも１つを備えているという特徴を有する、請求項８１に記載の皮下用除細動器。
【請求項９６】
自己含有型の電源構成要素をさらに備え、前記電源構成要素が前記生体適合の可能性を有するハウジング内に含まれており、前記選択的除細動／除細動回路構成要素と一体に設けられ、さらに、本質的に４つまたはそれ以上の電池と、４つのコンデンサとで構成され、前記抗不整脈二相波形の生成に十分な電力を供給する、請求項９４に記載の皮下用除細動器。
【請求項９７】
さらに、前記選択的除細動／除細動回路構成要素を提供し、前記回路構成要素が以下のうち少なくとも１つを含む、すなわち、
モニタリング回路構成要素であり、ＱＲＳ信号形態、ＱＲＳ信号周波数内容、ＱＲＳ　Ｒ−Ｒ区間安定性データ、ＱＲＳ振幅特徴のうち少なくとも１つに関連した生理学的方法を入手し、
パルス発生器であり、抗不整脈治療のために、少なくとも１つの導電性表面と、前記選択的除細動／除細動回路構成要素に反応する前記リード電極とを用いて、抗不整脈波形を生成し、
ペーシング回路構成要素であり、前記選択的除細動／除細動回路構成要素と動作可能に結合しており、また、少なくとも１つの導電性表面と、前記選択的除細動／除細動回路構成要素に反応する前記リード電極とを用いて、抗徐脈および抗頻脈ペーシング波形のうち少なくとも１つを生成し、
誘導回路構成要素であり、少なくとも１つの導電性表面と、前記選択的除細動／除細動回路構成要素に反応する前記リード電極とを用いて、ＥＣＧのＴ波上の低い振幅電圧を生成する、請求項８１に記載の皮下用除細動器。
【請求項９８】
前記生体適合の可能性を有するハウジングが、少なくとも１つチタン合金、およびこれに類似した特長を有する生体適合可能な材料で構成されており、このような材料が可鍛性を有し、さらに前記電気的に不活性なリードがシリコン、ポリウレタン、セラミック、およびこれと類似の特長を有する生体適合可能な材料のうち少なくとも１つで構成されている、請求項８１位記載の皮下用除細動器。
【請求項９９】
皮下への埋め込みのために導電性を有するハウジング手段を備えた選択的除細動／除細動装置であって、
選択的除細動／除細動回路構成要素を収納および密封収容するための手段を備え、前記収納手段が、前記選択的除細動／除細動回路構成要素と外部接続するための、および、前記収納手段の外面上に少なくとも１つの導電性表面を画定するための電気的に隔離された手段を有し、前記収納手段が、内部接続手段を用いて、前記選択的除細動／除細動回路構成要素と電気的に接続しており、
前記外部接続手段を介して、前記選択的除細動／除細動回路構成要素と接続した１つまたはそれ以上の導体を誘導および包囲するための手段をさらに備え、前記包囲手段が本質的に適合性がありかつ誘導可能であり、
前記誘導手段の末端部分から、内因性的に検出された不規則な状態に反応する少なくとも１つの前記導電性表面へと電気的治療を伝送する手段をさらに備え、前記電気的治療伝送手段が、１つまたはそれ以上の導体を介して、前記選択的除細動／除細動回路構成要素に電気的に接続している、
選択的除細動／除細動装置。
【請求項１００】
さらに、ＱＲＳ信号形態、ＱＲＳ信号周波数内容、ＱＲＳ　Ｒ−Ｒ区間安定性データ、ＱＲＳ振幅特徴のうち少なくとも１つに関連した生理学的方法をモニタリングおよび引き出す手段と、
前記選択的除細動／除細動回路構成要素に反応する導電性表面および電気的治療の伝送手段のうち少なくとも１つを介して抗不整脈の治療のための抗不整脈波形を生成する手段とを備える、請求項９９に記載の選択的除細動／除細動装置。
【請求項１０１】
前記電気的治療伝送手段を用いて提供される検知手段をさらに備えており、前記検知手段が、検知回路構成要素と接続するために、１つまたはそれ以上の導体を用いて、前記カルディバージョン／除細動回路構成要素と電気的に接続している、請求項９９に記載の選択的除細動／除細動装置。
【請求項１０２】
前記ハウジング手段と隣り合わせに、および電気絶縁的に設けられた検知手段をさらに備えており、前記検知手段が１つまたはそれ以上の導体を用いて、前記内部的な接続手段を用いて、前記カルディバージョン／除細動回路構成要素と電気的に接続している、請求項９９に記載の選択的除細動／除細動装置。
【請求項１０３】
前記電気的治療伝送手段に前記誘導手段上に補助的に設けられた検知手段をさらに備えており、前記検知手段が１つまたはそれ以上の導体を用いて、前記内部的な接続手段を用いて、前記カルディバージョン／除細動回路構成要素と電気的に接続している、請求項９９に記載の選択的除細動／除細動装置。
【請求項１０４】
前記検知手段の各々が、前記電気的治療伝送手段の末端部分、前記電気的治療伝送手段の基端部分、および前記電気的治療伝送手段に近接して位置する少なくとも１つの範囲を有する範囲内に形成されている、請求項９６に記載の選択的除細動／除細動装置。
【請求項１０５】
心臓と対向し、前記少なくとも１つの導電性の表面と近接した前記ハウジング手段の表面周囲に画定されている少なくとも１つの電気的に絶縁された表面と、前記少なくとも１つの導電性表面と前記少なくとも１つの電気絶縁表面との間に実質的に介在している絶縁範囲とをさらに備えている、請求項９９に記載の選択的除細動／除細動装置。
【請求項１０６】
前記選択的除細動／除細動回路要素に一体に設けられており、約５０〜２００μＦ間の静電容量と、約８００〜２０００Ｖの電圧と、４０〜１５０Ｊのエネルギーと、約５〜２５ミリ秒の継続時間のうち少なくとも１つを有する特徴を持った二相波形としての抗不整脈波形を生成する、請求項９９に記載の除細動器。
【請求項１０７】
前記外部接続手段と対向する表面にて終端している、前記ハウジング手段の外縁に沿って形成された下方向に向かう先細り部分をさらに備え、
前記下方向に向かう先細り部分と対向する側の周囲に形成されており、前記外部接続手段と対向する表面にて実質的に終端している一対の半密集的な先細り部分をさらに備える、請求項９９に記載の除細動器。
【請求項１０８】
前記ハウジング手段に対してほぼ軸方向に向かって形成された１ラジアンのベンド部分を備える、請求項９９に記載の除細動器。
【請求項１０９】
軟組織内への安全なリードの埋め込みを実施するために、前記誘導手段の末端部分に堅固に取り付けられている固定手段をさらに備える、請求項９９に記載の除細動器。
【請求項１１０】
前記ハウジング手段が、チタン合金と、これと類似した特徴を有する、可鍛性材料の生体適合可能な材料のうち少なくとも１つから成り、前記誘導手段が、シリコン、ポリウレタン、セラミック、およびこれらに類似の特徴を持つ生体適合可能な材料のうち少なくとも１つで構成されている、請求項９９に記載の除細動器。
【請求項１１１】
電気的に有効なキャニスタを備える埋め込み型の皮下用除細動器であって、
埋め込型のキャニスタを備え、前記キャニスタが、ハウジングの基端部分に設けられた電気絶縁されたコネクタブロックを用いて外部接続可能な選択的除細動／除細動回路構成要素を封入および収容するハウジングを含み、
前記電気絶縁されたコネクタブロックに適合可能に接続されている１つまたはそれ以上の導体を封入および収容する本質的に適合性があり誘導可能なリードをさらに含み、前記リードが電気的に不活性であり、
内因性的に検出された不規則な状態に反応する前記導電性表面に電気的治療を伝送するために、末端部分の外縁上に形成され、また、１つまたはそれ以上の導体を用いて、前記選択的除細動／除細動回路構成要素に電気接続されているリード電極をさらに備える、
埋め込み型の皮下用除細動器。
【請求項１１２】
さらに、電気絶縁面が離散的な導電性表面に隣り合わせており、また、電気絶縁範囲を挟んで該表面から実質的に離れている、請求項１１１に記載の埋め込み型の皮下用除細動器。
【請求項１１３】
前記リードの外縁に形成され、１つまたはそれ以上の体を用いて、前記絶縁されたコネクタブロックを介し、前記選択的除細動／除細動構成回路と電気的に接続された複数の検知電極をさらに備え、前記検知電極の各々が、前記選択的除細動／除細動回路構成要素内の検知回路構成要素と接続しており、検知機能を提供する、請求項１１１に記載の埋め込み型の皮下用除細動器。
【請求項１１４】
前記検知電極の各々が、前記リード電極の末端部分に隣接した場所、前記リード電極の基端部分に隣接した場所、前記リード電極に隣接した断絶的な場所のうち少なくとも１つを備えている、前記リードに沿った範囲内に形成されている、請求項１１３に記載の埋め込み型の皮下用除細動器。
【請求項１１５】
少なくとも１つの検知電極が前記導電性表面上に形成され、前記表面から電気的に絶縁されており、また、前記選択的除細動／除細動構成回路と内部的に電気接続しており、前記検知電極の各々が、前記選択的除細動／除細動構成回路内で検知回路構成要素と接続しており、検知機能を提供する、請求項１１１に記載の埋め込み型の皮下用除細動器。
【請求項１１６】
抗不整脈パルス発生器が前記選択的除細動／除細動構成回路と一体に設けられ、
約５０〜２００μＦ間の静電容量と、約８００〜２０００Ｖの電圧と、４０〜１５０Ｊのエネルギーと、約５〜２５ミリ秒の継続時間のうち少なくとも１つを有する特徴を持った抗不整脈の二相波形を導電性表面に対して発生する、請求項１１１に記載の埋め込み型の皮下用除細動器。
【請求項１１７】
分離可能で電気的に有効なキャニスタを備える埋め込み型の皮下用除細動器であって、
埋め込み型のキャニスタを備え、前記キャニスタが、電気絶縁されたコネクタブロックを用いて、前記ハウジングの基端部分上に外部接続可能な前記選択的除細動／除細動回路構成要素を封入および収納するハウジングを含んでおり、前記ハウジングが、外面上に離散状の導電性表面を画定し、内部において前記選択的除細動／除細動回路構成要素と電気的に接続ており、前記ハウジングがさらに、前記離散状の導電性表面に近接した電気絶縁表面を画定し、電気絶縁範囲によって該表面から実質的に離れており、
本質的に適合性があり且つ分割可能なリードをさらに備え、前記リードが、前記電気絶縁されたコネクタブロックに対して適合可能に接続した１つまたはそれ以上の導体を封入および誘導し、前記リードが電気的に不活性であり、
リード電極をさらに備え、前記リード電極が、前記リードの末端部分上に形成されており、また、内因性敵に検出された不整脈状態に反応する前記離散状の導電性表面に対して電気的治療を伝送するために、前記１つまたはそれ以上の導体を用いて、前記選択的除細動／除細動回路構成要素と電気的に接続している、
埋め込み型の皮下用除細動器。
【請求項１１８】
少なくとも１つの検知電極をさらに備え、前記検知電極が少なくとも１つの離散状の導電性表面上および電気絶縁表面上に形成されており、前記少なくとも１つの検知電極が、前記離散状の導電性表面から電気絶縁され、前記選択的除細動／除細動回路構成要素と内部的に電気接続しており、前記検知電極の各々が、前記選択的除細動／除細動回路構成要素内に設置した検知回路と電気的に接続し、さらに検知機能を提供する、請求項１１７に記載の埋め込み型の皮下用除細動器。
【請求項１１９】
抗不整脈治療を提供する埋め込み型の皮下用除細動器であって、
埋め込み型のキャニスタを備えており、前記キャニスタが、前記ハウジングの基端部分上に設けた電気絶縁されたコネクタブロックを用いて、外部的に接続可能な選択的除細動／除細動回路構成要素を封入および収容するハウジングを提供し、前記ハウジングが、外面上に導電性の表面を画定し、さらに、内部において前記選択的除細動／除細動回路構成要素と電気接続しており、前記選択的除細動／除細動回路構成要素が心臓上の生理学的状態をモニタリングし、
前記電気絶縁されたコネクタブロックに接続している適合可能に１つまたはそれ以上の導体を封入および誘導する本質的に適合性があり且つ分割可能なリードをさらに備え、前記リードが電気的に不活性であり、
リード電極をさらに備えており、前記リード電極が前記リードの末端部分上の外縁に形成され、また、前記選択的除細動／除細動回路構成要素が内因性的に検出した不整脈の状態に反応する導電性の表面に抗不整脈の波形を伝播するために、前記１つまたはそれ以上の導体を用いて、前記選択的除細動／除細動回路構成要素に対して電気接続されている、
埋め込み型の皮下用除細動器。
【請求項１２０】
前記抗不整脈の二相波形が、約５０〜２００μＦの静電容量、約８００〜２０００Ｖの電圧、４０〜１５０Ｊのエネルギー、および約５〜２５ミリ秒の継続時間のうち少なくとも１つを備えているという特徴を有する、請求項１１９に記載の埋め込み型の皮下用除細動器。
【請求項１２１】
心臓の生理学的な状態をモニタリングする埋め込み型の皮下用除細動器であって、
埋め込み型のキャニスタを備え、前記キャニスタが、ハウジングの基端部分上に設けられた電気絶縁されたコネクタブロックを用いて外部的に接続可能な選択的除細動／除細動回路構成要素を封入および収容する前記ハウジングを備えており、前記ハウジングが外面上に導電性の表面を画定し、前記選択的除細動／除細動回路構成要素と電気的に接続し、
前記電気的絶縁されたコネクタブロックに適合可能に接続した１つまたはそれ以上の導体を封入および誘導する本質的に適合性があり且つ分割可能なリードをさらに備え、前記リードが電気的に不活性であり、
検知電極をさらに備え、前記検知電極が、前記リードの末端部分上の外縁に形成されており、また、内因性的に検出された不整脈の状態に反応する前記導電性の表面に対して電気的治療を伝送するために、１つまたはそれ以上の導体を用いて、前記選択的除細動／除細動回路構成要素内で検知回路構成要素に電気的に接続しており、また、
前記選択的除細動／除細動回路構成要素と一体に設けられた回路構成要素をモニタリングし、ＱＲＳ信号形態、ＱＲＳ信号周波数内容、ＱＲＳ　Ｒ−Ｒ区間安定性データ、ＱＲＳ振幅特徴の内の少なくとも１つに関連した心臓上の生理学的方法を誘導する、
埋め込み型の皮下用除細動器。
【請求項１２２】
心臓のペーシングを提供する埋め込み型の皮下用除細動器であって、
埋め込み型のキャニスタを備え、前記キャニスタが、ハウジングの基端部分上に設けられた電気絶縁されたコネクタブロックを用いて外部的に接続可能な選択的除細動／除細動回路構成要素を封入および収容する前記ハウジングを備えており、前記ハウジングが外面上に導電性の表面を画定し、前記選択的除細動／除細動回路構成要素と電気的に接続し、
前記電気的絶縁されたコネクタブロックに適合可能に接続した１つまたはそれ以上の導体を封入および誘導する本質的に適合性があり且つ分割可能なリードをさらに備え、前記リードが電気的に不活性であり、
リード電極をさらに備え、前記リード電極が、前記リードの末端部分上に外延的に形成されており、さらに、内因性的に検出された不整脈の状態に反応する前記導電性表面に対して電気的治療を伝送するために、１つまたはそれ以上の導体を用いて、前記選択的除細動／除細動回路構成要素に電気的に接続しており、
ペーシング回路構成要素をさらに備え、前記回路構成要素が、前記選択的除細動／除細動回路構成要素に反応する導電性の表面および前記リード電極を用いて、抗徐脈および抗頻脈ペーシング波形のうち少なくとも１つを発生する前記選択的除細動／除細動回路構成要素に動作可能に結合している、
埋め込み型の皮下用除細動器。
【請求項１２３】
心臓細動の症状の出現を誘発する埋め込み型の皮下用除細動器であって、
埋め込み型のキャニスタを備え、前記キャニスタが、ハウジングの基端部分上に設けられた電気絶縁されたコネクタブロックを用いて外部的に接続可能な選択的除細動／除細動回路構成要素を封入および収容する前記ハウジングを備えており、前記ハウジングが外面上に導電性の表面を画定し、前記選択的除細動／除細動回路構成要素と電気的に接続し、
前記電気的絶縁されたコネクタブロックに適合可能に接続した１つまたはそれ以上の導体を封入および誘導する本質的に適合性があり且つ分割可能なリードをさらに備え、前記リードが電気的に不活性であり、
リード電極をさらに備え、前記リード電極が、前記リードの末端部分上に外延的に形成されており、さらに、内因性的に検出された不整脈の状態に反応する前記導電性表面に対して電気的治療を伝送するために、１つまたはそれ以上の導体を用いて、前記選択的除細動／除細動回路構成要素に電気的に接続しており、
誘発回路構成要素をさらに備え、前記誘発回路構成要素が、前記選択的除細動／除細動回路構成要素に反応する前記導電性の表面および前記リード電極を用いて、ＥＣＧのＴ波上の低振幅電圧を生成する前記選択的除細動／除細動回路構成要素と一体に設けられている、
埋め込み型の皮下用除細動器。
【請求項１２４】
心肺的な生理学上での状態を検出する植え込み型の皮下用除細動器であって、
埋め込み型のキャニスタを備え、前記キャニスタが、ハウジングの基端部分上に設けられた電気絶縁されたコネクタブロックを用いて外部的に接続可能な選択的除細動／除細動回路構成要素を封入および収容する前記ハウジングを備えており、前記ハウジングが外面上に導電性の表面を画定し、前記選択的除細動／除細動回路構成要素と電気的に接続し、
前記電気的絶縁されたコネクタブロックに適合可能に接続した１つまたはそれ以上の導体を封入および誘導する本質的に適合性があり且つ分割可能なリードをさらに備え、前記リードが電気的に不活性であり、
検知電極をさらに備え、前記検知電極が、前記リードの末端部分上の外縁に形成されており、また、内因性的に検出された不整脈の状態に反応する前記導電性の表面に対して電気的治療を伝送するために、１つまたはそれ以上の導体を用いて、前記選択的除細動／除細動回路構成要素内で検知回路構成要素に電気的に接続しており、また、
検出回路構成要素をさらに備え、前記検出回路構成要素が前記選択的除細動／除細動回路構成と一体に設けられ、心房性細動、心室性細動、経静脈用におけるインピーダンス、呼吸速度、心拍数、心拍出量、ＥＣＧ形状、および温度のうち１つに関連した生理学的な方法を誘発する、
埋め込み型の皮下用除細動器。
【請求項１２５】
皮下用の除細動器を用いて抗不整脈治療を提供する方法であって、
生体適合可能なハウジングを備えるキャニスタを患者の胸郭前部の、ほぼ乳腺下の皺部分の高さにあたる皮下に埋め込み、前記生体適合可能なハウジングが選択的除細動／除細動回路構成要素を封入および収容し、また、前記生体適合可能なハウジングの外面上に少なくとも１つの導電性の表面を画定し、さらに、前記選択的除細動／除細動回路構成要素に電気的に接続しており、
電気的に不活性なリードを、患者の肩甲骨左下位置先端のほぼ側方にあたる位置へ胸郭周囲を包囲する形で延びている患者の胸郭後方側方部分の皮下に埋め込み、本質的に適合性があり且つ分割可能なカニューレを含む電気的に不活性なリードが前記キャニスタに適応可能に接続しており、この場合、リード電極が前記電気的に不活性なリードの末端部分に形成され、さらに、前記選択的除細動／除細動回路構成要素に電気的に接続しており、
電気治療の伝送が、前記リード電極から少なくとも１つの導電性の表面までの抗不整脈の波形を備えている方法。
【請求項１２６】
さらに、少なくとも１つの電気的に不活性なリードを追加的に備え、前記リードが、前記キャニスタの基端部分上に接続した本質的に適合性があり且つ分割可能なカニューレを含み、
少なくとも１つの追加のリード電極を備え、前記リード電極が、前記少なくとも１つの追加の電気的に不活性なリードが前記選択的除細動／除細動回路構成要素に電気的に接続しており、
前記少なくとも１つの追加の導電性表面と電気的に不活性なリード上の１つまたはそれ以上のリード電極の間において電気的治療を伝送するために、切り替え回路構成要素をさらに備えている、請求項１２５に記載の方法。
【請求項１２７】
安全なリード埋め込みを実施するために、前記１本またはそれ以上の電気的に不活性なリードにおける、胸郭の左後方部分の軟組織に対して堅固に取り付けられた末端部分を備えている、請求項１２６に記載の方法。
【請求項１２８】
前記リード電極が接続し、前記方法がさらに、
前記電気的に不活性なリード上に形成された複数の検知電極を提供し、前記検知電極の各々が前記選択的除細動／除細動回路構成要素内の検知回路構成要素と接続し、
ＱＲＳ信号形態、ＱＲＳ信号周波数内容、ＱＲＳ　Ｒ−Ｒ区間安定性データ、ＱＲＳ振幅特徴の内の少なくとも１つに関連した心臓上の生理学的な方法を、前記検知電極を用いてモニタリングおよび誘導する、請求項１２５に記載の方法。
【請求項１２９】
安全なリードの埋め込みを実施するために、前記少なくとも１本の電気的に不活性なリードの末端部分を、胸郭の左後方部分の軟組織に対して堅固に取り付ける、請求項１２５に記載の方法。
【請求項１３０】
蛇行状のリード埋め込みを実施するために、前記電気的に不活性なリード内に形成された複数の柔軟なベンド部分を、乳腺下の皺部分の側方にあたる胸郭の皮下に埋め込む、請求項１２５に記載の方法。
【請求項１３１】
さらに、前記選択的除細動／除細動回路構成要素に反応する前記少なくとも１つの導電性表面およびリード電極を用いて、ＥＣＧのＴ波上に低振幅電圧を生成する、請求項１２５に記載の方法。
【請求項１３２】
後側方部分に埋め込まれた皮下用除細動器を介して抗不整脈治療を提供する方法であって、
生体適合可能なハウジングを備えたキャニスタを患者体内に、左肩甲骨のほぼ側方にあたる位置の皮下に埋め込み、前記生体適合可能なハウジングが、選択的除細動／除細動用回路構成要素を包囲および収容し、さらに、少なくとも１つの導電性表面を前記生体適合可能なハウジングの外面上に画定し、前記選択的除細動／除細動用回路構成要素電気的に接続しており、
電気的に不活性なリードを、前記胸郭周囲の、ほぼ乳腺下の皺部分の高さにのびている前胸郭内に皮下的に埋め込み、前記電気的に不活性なリードが、前記キャニスタと適合可能に接続した本質的に適合性があり且つ誘導可能なカニューレを備えており、前記キャニスタが、前記電気的に不活性なリードの末端部分上に形成され、さらに前記選択的除細動／除細動用回路構成要素と電気的に接続しているリード電極を備え、
前記リード電極から前記少なくとも１つの導電性の表面へと抗不整脈波形を有する電気的治療を伝播する方法。
【請求項１３３】
皮下用除細動器によって提供されるとおりに抗不整脈治療を刺激する方法であって、
前部パッチ電極を、患者のほぼ乳腺下の皺の高さにあたる部位の皮下に配置し、前記パッチ電極が、皮下用除細動器によって占められる少なくとも１つの導電性の表面に近接しており、
ストリップ電極を、患者の胸郭周囲から左肩甲骨のほぼ側方の位置にまでを囲む形で延びている胸郭後部側方範囲の腋窩腺に沿った範囲の皮下に配置し、前記外リップ電極が、前記皮下用除細動器に電気的に接続したリード電極付近に存在しており、
電気的治療の伝送が、前記ストリップ電極からパッチ電極までの抗不整脈波形を有する方法。
【請求項１３４】
複数の検知電極を、前記少なくとも１つの前部パッチ電極およびストリップ電極近接した範囲において患者の皮下に配置し、前記検知電極が、前記皮下用除細動器に接続した検知電極の付近に設けられており、
ＱＲＳ信号形態、ＱＲＳ信号周波数内容、ＱＲＳ　Ｒ−Ｒ区間安定性データ、ＱＲＳ振幅特徴の内の少なくとも１つに関連した心臓性の生理学的方法をモニタリングおよび誘発する、請求項１３２に記載の除細動器。
【請求項１３５】
さらに、少なくとも１つの追加のストリップ電極を後部側方にあたる胸郭に配置し、各少なくとも１つの追加のストリップ電極が、前記皮下用の除細動器に電気的に接続した追加のリード電極の付近に位置しており、また、
前記パッチ電極と１つまたはそれ以上のストリップ電極の間において、シミュレーションされた電気治療を選択的に伝送するための切り替え回路を備えている、請求項８５に記載の方法。
【請求項１３６】
皮下用除細動器を埋め込むための装置であって、さらに、
湾曲形状のトロカールを備え、前記トロカールが、軸長さに沿ってセントラルルーメンを画定し、基部ハンドルに取り付けられている管状のカニューレを含み、また、患者の身体内において皮下経路を分断するために、前記管状カニューレが先細りした末端部分を含んでおり、
前記セントラルルーメンを通って提供される誘導可能且つ実質的に非柔軟なガイドワイヤをさらに備え、
前記ガイドワイヤにかけて取り外し可能に取り付けられ、リード埋め込みの最中に皮下経路を維持する湾曲形状のシースをさらに備える装置。
【請求項１３７】
前記シースの全長に沿って軸方向に一連の孔が形成されているため、シースを縦方向に分離することが可能となる、請求項１３０に記載の装置。
【発明の詳細な説明】
【０００１】
【発明の属する技術分野】
本発明は、選択的除細動／除細動を電気的に実施し、さらに、完全に皮下に埋め込む非経静脈用システムを用いて心臓を任意で律動させる装置および方法に関する。
【０００２】
【関連する特許明細書の参照】
本願明細書は、これと発明者が同一であり、同日に提出されている、一体型の皮下のみに埋め込み型除細動器および任意装着ペースメーカという題名のＰＣＴ特許明細書に関する。ここでは、関連する明細書の開示を参照の形で全面的に援用している。
【０００３】
【発明の背景】
除細動とは、心房および／または心室における頻脈を含む頻脈不整脈性の心臓状態を阻止するために用いられる技術である。一般的には、電極を使用して、心臓ペーシングで使用するパルスよりも実質的に高い値の電気パルスまたは衝撃で心臓に刺激を与える。
【０００４】
除細動システムは体内埋め込み型の電極を含み、埋め込み型除細動器（ＩＣＤ）と呼ばれている。このような電極は、心外膜細胞、または血管内カテーテルの末端および該カテーテル範囲に直接取り付けるパッチの形態であってよい。本願明細書中で全てを参照の形で援用している米国特許第４、６０３、７０５号、第４、６９３、２５３号、第４、９４４、３００号、第５、１０５、８１０号は、単独で、あるいは心外膜用パッチ電極と組み合わせて使用される血管内または経静脈用電極を開示している。米国特許第４、５６７、９００号、第５、６１８、２８７号は柔軟な心外膜用の除細動電極を開示しており、本願明細書中ではこれらの開示を参照の形で援用している。米国特許第５、４７６、５０３号は心外膜検知電極の形態を開示しており、本願明細書中ではこの開示を参照の形で援用している。
【０００５】
心外膜用電極および経静脈用電極に加えて、皮下用電極システムも既に開発されている。その例として米国特許第５、３４２、４０７号、第５、６０３、７３２号が挙げられ、また、本願明細書中でその開示を参照の形で援用しているが、これらの開示は、外科手術によって腹腔内に埋め込むパルスモニタ／発生器との使用と、胸郭内に埋め込む皮下電極を示唆している。このシステムは、有効な被覆と共に経静脈用リードシステムを用いた最新のＩＣＤシステムと比較して使用方法が相当に困難であるため実用的でない。実際のところ、該システムは、このような装置（３箇所の切開部位を伴う）を取り付ける上での外科手術が困難であり、腹腔範囲内における発生器位置が非実用的であり、除細動が電気的に弱いという理由から、過去にも全く使用されてこなかった。
【０００６】
近年におけるＩＣＤの効率を向上させるための努力により、製造業者は胸部範囲内への埋め込みに十分に適した小型のＩＣＤを製造することが可能になった。さらに、回路設計の進歩により、皮下用電極を形成するためのハウジングによるＩＣＤの収容が可能になった。ＩＣＤのハウジングが任意で追加の電極として機能するＩＣＤの例が、米国特許第５、１３３、３５３号、第５、２６１、４００号、第５、６２０、４７７号、第５、６５８、３２１号に開示されており、本願明細書中ではこれらの開示を参照の形で援用している。
【０００７】
現在のところ、ＩＣＤは、生命にかかわる心律動障害、主に心室細動（Ｖ−Ｆｉｂ）管理への治療を確立している。ＩＣＤはＶ−Ｆｉｂの処置において非常に効率的であるが、その治療にはやはり大きな手術が必要である。
【０００８】
ＩＣＤ治療は、その本質のために予防目的で使用されるケースが増加するにしたがい、病気患者、特に心停止の危険に晒されている小児患者に使用されるケースは著しく減少しており、ほとんどが５〜１０年間の間、多くはこれよりも早い時期にリードシステムの不調に関連した障害を引き起こしてしまうため、管理が非常に長期にわたる場合には静脈カテーテルおよび経静脈用リードを使用するためのＩＣＤ治療の必要性が妨害となる。これに加えて、長期にわたる経静脈用リードシステム、その再度埋め込みおよび除去によって、主要な心臓血管静脈システム、三尖弁を損傷してしまう可能性があると同時に、その結果、大型の脈管および心臓に生命にかかわる孔が開いてしまう可能性がある。これにより、経静脈用リードシステムの使用は、その大きな利点にもかかわらず、予想余命が５年を超える患者への長期にわたる管理なしでは行われない。リードによる障害は、身体の成長により、経静脈用リード機能が実質的に変わってしまうことで心臓血管に関連さらなる問題とその修正を伴う小児患者の場合さらに深刻である。これに加えて、経静脈用ＩＣＤシステムは、より高額なコストがかかり、専門の中間的な病室や設備、及び挿入のための特別な技術が必要とされる。一般的に、このシステムは、さらに多大な特別研修を経験してきた電子生理学の心臓外科医によって埋め込まれる。
【０００９】
ＩＣＤ治療に関連した背景に加えて、本発明には自動外付け除細動器（ＡＥＤ）による治療の簡単な理解が必要である。ＡＥＤでは、Ｖ−Ｆｉｂ患者を治療する傍観的な使用者の監督の下で除細動を有効にするために、皮下用パッチ電極の使用を採用している。ＡＥＤは、２〜３分間の間に迅速に被害者に着用する場合に、ＩＣＤとしての有効性を有することができる。
【００１０】
ＡＥＤ治療は、航空機の飛行中のような公の現場における死亡の危険性を減少させるための器具として非常に効果的である。しかし、ＡＥＤは、潜在的な死亡の危険を伴う律動の危機に瀕している人物とは別の人物によって使用されなければならない。ＡＥＤはＩＣＤのような患者特定的な器具よりはむしろ公の健康器具である。７５％を超える心停止が自宅において発生しており、半分以上が寝室において発生しているため、心停止の危機に瀕している患者の多くは一人であるか睡眠状態にあり、ＡＥＤを使用した救助が間に合わないことが多い。これに加えて、ＡＥＤ使用の成功は、傍観的使用者の容認可能レベルの技術と冷静さの妥当な度合いに依存している。
【００１１】
そのため、特に小児患者および予防的な長期の使用においては、ＩＣＤのような迅速およびほぼ確実な除細動を提供する２つの形態の治療組み合わせが必要であるが、この場合、経静脈用リードシステムの長期にわたる不利な後遺症があってはならない一方で、ＡＥＤのような、多くのより単純且つ低コストの技術を同時に使用しなければならない。このような装置は、皮下のみに使用されるＩＣＤ（Ｓ−ＩＣＤ）と呼ばれており、これについて以降にさらに詳細に説明する。
【００１２】
【発明の要約】
任意のペーシングを備えた皮下のみに使用されるＩＣＤ（Ｓ−ＩＣＤ）の好ましい形態は、次に示す５つの基本的な構成要素で構成される。すなわち、１）電池供給源、コンデンサ、演算回路構成要素を収容する電気的に有効なキャニスタ。ここで、ハウジングは電極として機能し、従来技術によるシステムにおける従来型の１本のリードの代替物となる。２）Ｓ−ＩＣＤハウジングによって生じる、１つまたはそれ以上の皮下的な高電圧／検知／ペース電極の組み合わせ。３）ＩＣＤまたはＡＥＤ　Ｖ−ＦＩＢ検出アルゴリズムに適した検知回路構成要素。４）皮下用リードを簡単に挿入するための取り付けシステム。５）各患者についてＳ−ＩＣＤを設置する最適な範囲を予想するように設計された皮下的検査システム。これにより、経静脈用リードシステムが不要となり、予防的使用、および特に小児患者への使用に伴う大きな障害をより幅広い規模で減少させることが可能になっている。
【００１３】
有効なキャニスタハウジングは、ＩＣＤおよびＡＥＤにおいて使用されるものの中間にあたるエネルギーおよび電圧を提供する。多くの二相波形を用いたＩＣＤに必要な典型的な最高電圧は約７５０Ｖであり，これに関連した最大エネルギーは約４０Ｊである。ＡＥＤに必要な典型的な最高電圧は約２０００〜５０００Ｖであり、これに関連した最大エネルギーは約１５０〜３６０Ｊである。本発明によるＳ−ＩＣＤは、８００〜２０００Ｖの電圧と、これに関連した約４０〜１５０Ｊのエネルギーを使用する。キャニスタを陰極または陽極のいずれかとして使用することができる。
【００１４】
好ましい実施形態では、キャニスタの極性と対向した極性を有する皮下用の高電圧電極を使用しているが、最良のＳ−ＩＣＤ機能を達成するために必要である皮下用電極の使用個数に制限はない。シリコンまたはポリウレタン絶縁体から成る皮下用電極は最低で１つの電極を備えているが、該好ましい実施形態では３つの電極、つまり、長さ約５〜１０ｃｍの高電圧、低インピーダンスコイル電極と、先端部分における２つの低電圧、高インピーダンス検知電極とを備えている。検知電極どうしの間に約４ｃｍの間隔を設けて、皮下的な心臓外サンプリング範囲から妥当なＱＲＳ信号が提供されるようにしているが、検知の最適化を可能にするために長さを変更することもできる。該好ましい実施形態では、検知電極は、典型的な経静脈ＩＣＤリードシステムとは反対側にあたる、高圧リードの基端部分に配置されているが、これ以外の場所への配置も可能である。
【００１５】
該好ましい実施形態における検知回路構成要素は、特に高感度で、生命にかかわる心室性不整脈の有無のみに特化するように設計されている。検出アルゴリズムの特徴はプログラム可能であるが、該アルゴリズムはＶ−Ｆｉｂと、約２４０ｂｐｍ以上の高い値の心室性頻脈（Ｖ−Ｔａｃｈ）の検出に注目するようにされている。このタイプの除細動器は、ＩＣＤ治療の代わりにＶ−Ｔａｃｈ／Ｖ−Ｆｉｂに伴う問題を既に認識させているＩＣＤを使用するべく設計する必要はないが、特に、初めて経験するＶ−Ｆｉｂ／Ｖ−Ｔａｃｈの危機にさらされている患者の生命救助に使用される、予防的な長期使用の装置として用いるよう調整されている。本発明による装置は、実際の生命にかかわる事態において使用されることは滅多にないが、それほど経験を積んでいない内科医によって、少ない危険性および妥当な費用で多数の人数に使用することができる。したがって、本発明の該好ましい実施形態は、最も悪性の律動障害の検出および治療のみに注目している。小児患者への検出アルゴリズムの適用の一部分として、成人患者に伴うより速度の速い心室性急と比較して、より速度の速い上方心室性頻脈の危険に晒されているとされる小児患者への使用を目的として、高い値の範囲を上方へプログラムすることが可能になっている。
【００１６】
本発明の装置を装着するための切開部位は胸郭上の任意の位置に設けることができるが、本発明の装置は、鎖骨線の前中間部分の、乳輪下の乳房の皺にあたる高さに装着する。該Ｓ−ＩＣＤは、現在あらゆるＩＣＤが配置されているのと同様に皮下的に配置することができる。１つの大きな違いは、必要であれば、発生器の挿入に用いたものと同一の切開部位から該リードシステムを挿入した後に、
局部麻酔を流すための、特別に設計された湾曲形状のイントロデューサセットと共に高圧／検知用リードが完全に皮下に配置される点である。しかし、リードは、発生器と異なり、胸部後方範囲、理想的には肩甲骨下先端部分の高さにおける、腋窩腺の左後方範囲にリードを配置するために、側方および後方に向けられる。このようなリードの配置により、優れた胸郭経由の電流伝送ベクトルが、ＱＲＳを識別するために適切な部位に配置された検知双極の近接的な配置と同様に得られる。経静脈用の構成要素は設けられていない。
【００１７】
最終的なＳ−ＩＣＤの構成要素は、ＱＲＳ心律動検出システムと同様に、皮下的な高圧衝撃電気システムをシミュレーションするべく設計された皮下用検査電極システムである。本検査電極システムは、Ｓ−ＩＣＤキャニスタと類似した表面範囲およびインピーダンスを含む皮下用パッチ電極自体を、ＱＲＳを検知するための２つのボタン電極と同様に、除細動ストリップ部を含む皮下用ストリップ電極と共に備えている。数本の皮下用ストリップ電極を使用することにより、長さ、電極間隔、および形状の異なるリード上の多種の検知双極間隔を可能にする上で信号検出を最適化するために、多種の双極間隔の試験を実施することが可能になる。
【００１８】
続いて、本発明をさらに理解するために図面を参照するが、複数の図面をとおして、同様の物体には同一の参照符号を付している。
【００１９】
【発明の実施の形態】
次に図１を参照すると、本発明によるＳ−ＩＣＤを図示している。Ｓ−ＩＣＤは、電気で動作するキャニスタ１１と、キャニスタに取り付けた皮下電極１３で構成されている。キャニスタは、絶縁範囲１４を介して電極コネクタブロック１７およびキャニスタハウジング１６から電気絶縁された、電気有効性を有する表面１５を備えている。キャニスタは、市販されている多くの電気活性キャニスタと類似したものであってよく、すなわち、キャニスタは電池電源、コンデンサ、演算回路構成要素を含むことができる。あるいは、肋間の空間に適合するようにキャニスタを薄型および細長い形状にすることができる。この回路構成要素は、頻脈および細動について心律動をモニタリングすることが可能であり、また、万が一これらが検出された場合には、コンデンサへの充電を開始し、続いて、ハウジングの活性面を介した、皮下電極への選択的除細動／除細動エネルギーの伝送を開始する。このような回路構成要素の例が、米国特許第４、６９３、２５３号、第５、１０５、８１０号に記載されており、本願明細書ではその開示全体を参照の形で援用している。キャニスタ回路構成要素は、異なるタイプの波形で選択的除細動／除細動エネルギーを提供することができる。好ましい実施形態では、１００ｕＦの二相波形を、エネルギーの約２／３を含有した初期位相で、約１０〜２０ｍｓの総継続時間だけ使用しているが、しかし、あらゆるタイプの波形、例えば単相、二相、多相、または従来技術において知られている他の波形の使用が可能である。
【００２０】
回路構成要素は、選択的除細動／除細動を誘発するエネルギーの提供に加え、胸郭を経由して心臓を律動させるペーシングエネルギーを提供することができる。任意で追加できる回路構成要素も、徐脈および／または頻脈的な律動について、心臓のモニタリングが可能である。徐脈または頻脈的な律動が検出されると、回路構成要素が、活性面および皮下電極を介して適切な律動を誘発するエネルギーを伝送することができる。該好ましい実施形態では、律動刺激は二相であり、パルス振幅は従来の胸郭経由のペーシングで使用するものと類似している。
【００２１】
さらに、米国特許第５、１２９、３９２号に記載されているように、この同一の回路構成要素を、心室細動を処置する際にＳ−ＩＣＤの性能を試験するべく心室細動を誘発する上で、Ｔ波を介した低振幅衝撃の伝播に使用することができ、本願明細書では該特許を全面的に参照の形で援用している。また、高速の心室ペーシングを用いた心室細動または心室性頻脈の高速誘発を該回路構成要素に付加することもできる。心室細動を誘発する別の方法には、１回の心臓周期の間に、低電圧、すなわち約３ボルトの電圧を心臓全体にかけて連続的に印加するものがある。
【００２２】
本発明の別の局面は、１９８６年出版のＣｏｍｐｕｔｅｒｓ　ｉｎ　Ｃａｒｄｉｏｌｏｇｙ、１６７〜１７０頁、Ｏｌｓｏｎ，Ｗ．等著“Ｏｎｓｅｔ　ａｎｄ　Ｓｔａｂｉｌｉｔｙ　Ｆｏｒ　Ｖｅｎｔｒｉｃｕｌａｒ　Ｔａｃｈｙａｒｒｈｙｔｈｍｉａ　Ｄｅｔｅｃｔｉｏｎ　ｉｎ　ａｎ　Ｉｍｐｌａｎｔａｂｌｅ　Ｃａｒｄｉｏｖｅｒｔｅｒ　ａｎｄ　Ｄｅｆｉｂｒｉｌｌａｔｏｒ（「埋め込み可能型除細動器での心室性頻脈律動検出の開始および安定性」）”に記載されているように、演算回路構成要素が心房細動の有無を検出できるというものである。Ｒ−Ｒ周期長不安定性検出アルゴリズムを用いた検出が可能である。心房細動が検出されると、演算回路構成要素が、心室除細動／選択的除細動に使用したものと同一の衝撃エネルギーおよび波形特徴を用いて、ＱＲＳ同期させた心房除細動／選択的除細動を提供する。
【００２３】
検知回路構成要素は、心臓から生成された電子信号を使用し、また、まずＱＲＳ波を検出する。ある実施形態では、回路構成要素は、心室性頻脈または細動のみを検出するようにプログラムされる。検出回路構成要素は、心室の脈拍数がある所定レベルを決まった時間だけ超えた場合、例えば、心室の脈拍数が４秒間の間、平均である２４０ｂｐｍを超えた場合に、コンデンサの充電が生じる値検出アルゴリズムをその最も直接的な形態において使用する。コンデンサが充電されると、確認を行うための律動チェックにより、心拍数が、放電前に少なくともさらに１秒間継続する。同様に、終了アルゴリズムは、コンデンサに充電した電気が内部抵抗器へと排流される前に、２４０ｂｐｍ未満の律動が少なくとも４秒間継続するように構成することができる。上記の通りであり、従来技術による検出、確認、終了アルゴリズムは、ＱＲＳ　ｂｅａｔ−ｔｏ−ｂｅａｔの均一性、ＱＲＳ信号周波数内容、Ｒ−Ｒ間隔安定性のデータ、信号振幅特徴を検査することにより、感度および特異性を増加するために変調することができ、また、ＱＲＳ　ｂｅａｔ−ｔｏ−ｂｅａｔの均一性、ＱＲＳ信号周波数内容、Ｒ−Ｒ間隔安定性のデータ、信号振幅特徴の全てまたは一部を、Ｓ−ＩＣＤに設けられた不整脈検出機能の感度および特異性の両方を増減するために使用できる。
【００２４】
ＱＲＳ波を検査することで心室細動または心室性頻脈を検出する検知回路構成要素に加え、検知回路構成要素は呼吸の有無を調べることができる。有効な被覆および高圧皮下鉛電極に送られた閾値以下の電流を胸郭全体に付加してインピーダンスをモニタリングすることにより、また、呼吸周期中に胸郭を経由するインピーダンスの波動によって発生した波形内における波動の周波数をモニタリングすることで、呼吸速度の検出が可能である。波動がない場合には、患者は呼吸をしていないということであり、この無呼吸状態を以って、ＱＲＳによる心拍停止の所見を確認することができる。これと同じ技術を使用して、米国特許第６、０９５、９８７号、第５、４２３、３２６号、第４、４５０、５２７号に記載されているように、呼吸速度に関する情報を入手、心拍出量を推定することが可能であり、本願明細書では上記の米国特許を参照の形で援用している。
【００２５】
本発明によるキャニスタは、チタン合金、または現在のところ好ましいとされている、電気有効性のキャニスタ設計による作成が可能である。しかし、患者の胸部の湾曲部分に適合することが可能な可鍛性のキャニスタが好ましいとされている。この方法によれば、患者は、自分の肋骨胸郭の形状に適合する、不快感を感じないキャニスタが得られる。このように適合するキャニスタの例が、米国特許第５、６４５、５８６号に記載されており、本願明細書ではその開示全体を参照の形で援用している。したがって、キャニスタは、医療グレードのプラスチック、金属、および合金のような様々な材料で作成することができる。好ましい実施形態では、キャニスタは、特に小児に装着した場合に耐久性を長期化するために、容積６０ｃｃ未満、重量１００ｇ未満となっている。さらに、Ｓ−ＩＣＤのキャニスタとリードの表面をフラクタル表面またはしわ加工を施した表面にすることで表面範囲を増加させ、除細動機能を向上することもできる。この治療の主要な防止的役割と、４０ジュールを超えるエネルギーに達するための同様の必要性との理由から、該治療に要する充電時間を、コンデンサの充電が装置規模の制限範囲内に収まるようにすべく比較的長く故意に設定していることが、ある好ましい実施形態の特徴である。小型のＩＣＤハウジングの例が米国特許第５、５９７、９５６号、第５、４０５、３６３号に開示されており、本願明細書ではこれらの開示を参照の形で全面的に援用している。
【００２６】
図１〜図３にタイプの異なる本発明による皮下電極１３を示している。図１を参照すると、皮下電極用のリード２１はシリコンまたはポリウレタン絶縁体で製造されることが好ましい。電極はその末端にて、接続ポート１９を介してキャニスタと接続しており、該接続ポートはキャニスタの電気絶縁範囲１４に位置している。図に示す電極は、３つの異なる電極をリードに取り付けた複合電極である。また、図示されている実施形態では、錨型の固定具部分５２が皮下電極の最末端に取り付けられていることで、電極が軟組織内にしっかりと固定されるため、埋め込み後に電極が軟組織から外れてしまうことがない。
【００２７】
複合皮下電極の最末端に位置する電極はコイル電極２７であって、心臓全体にかけて選択的除細動／除細動のための高圧エネルギーを伝送するのに適している。選択的除細動／除細動用のコイル電極は、長さが約５〜１０ｃｍである。コイル電極の基部には２つの検知電極が位置しており、その一方の第１検知電極２５はコイル電極の基端部に配置され、他方の第２検知電極２３は第１検知電極の基端部に配置されている。検知電極どうしは、優れたＱＲＳ検出が得られるように十分に遠く離して配置されている。その間隔は１〜１０ｃｍの範囲内であり、この場合は４ｃｍが好ましい。好ましい実施形態では、電極は環状形であっても、そうでなくても構わない。電極を環状形でない形にし、表面に向かって外方に配置することは、筋肉アーティファクトを最小化し、ＱＲＳ信号の質を向上させるための手段となる。検知電極は、絶縁範囲２９によって選択的除細動／除細動電極から電気絶縁されている。現在、これと類似したタイプの選択的除細動／除細動電極が経静脈型で市販されている。例えば、本願明細書で参照の形で全面的に援用している米国特許第５、５３４、０２２号は、選択的除細動／除細動用のコイル電極と検知電極を組み合わせた複合電極を開示している。この形態の改造は本発明の範囲内に含まれるとみなされる。このような改造の一例を図２に示しているが、この場合、２つの検知電極２５、２３は環状形ではない検知電極であり、その一方は末端に、他方は該一方の検知電極の基端部に位置しており、この２つの検知電極の間にはコイル電極を配置している。本実施形態では、検知電極は、使用されているコイル電極の長さにより約６〜１２ｃｍの間隔をあけて設置されている。図３は、さらに別の実施形態を示しており、ここで、複合電極の末端に２つの検知電極が位置し、該複合電極の基端部にコイル電極が位置している。これ以外の形態の実施も可能であり、これは本発明の範囲内に含まれるとみなされる。例えば、１つのみの検知電極を選択的除細動／除細動用のコイル電極の基端または末端のいずれかの部分に設け、コイルが検知電極および選択的除細動／除細動電極の両方として機能するようにする。
【００２８】
さらに、キャニスタハウジングに設けた検知電極のみで使用するか、あるいは該検知電極を選択的除細動／除細動コイル電極、および／または（複数または単数の）皮下リード検知電極と組み合わせて使用すれば、ＱＲＳ波（および胸郭を経由するインピーダンス）の検知が可能である。こうすることで、皮下電極上と、キャニスタハウジングの電気有効性を有する表面上に配置した１つのコイル電極を用いた検知が可能である。これ以外の形態には、皮下電極上に検知電極を１つのみ配置し、該１つの電極および皮下電極上のいずれか一方のコイル電極により、あるいはキャニスタの電気有効性を有する表面により検知を行うというものがある。キャニスタ上の検知電極を使用することで、皮下電極上に取り付けた検知電極を用いる必要がなくなる。さらに、皮下電極に少なくとも１つの検知電極を、またキャニスタに少なくとも１つの検知電極を配置し、皮下電極および／またはキャニスタのいずれかに複数個の検知電極を配置する場合には、Ｓ−ＩＣＤを埋め込んでいる際に最良のＱＲＳ波検出の組み合わせが識別されるが、この組み合わせは、全ての検知の可能性から最良の形態を作動することで選択できる。再度図２を参照すると、２つの検知電極２６、２８が電気有効性を有する表面１５上に配置され、検知電極と電気有効性を有する表面の間に電気絶縁リング３０が設けられている。これらのキャニスタ検知電極は、除細動／選択的除細動衝撃の伝播中、およびその後多少の時間、スイッチを切り絶縁状態にすることができる。さらに、キャニスタ検知電極をキャニスタの非電気有効性を有する表面上に配置してもよい。図２の実施形態では、実際には４つの電極が配置されているが、そのうち２つは皮下電極上に、残りの２つはキャニスタ上に位置している。上記の好ましい実施形態では、検知を行うためにこれらの電極を変更する機能はＳ−ＩＣＤのプログラム可能な特徴であり、該特徴は、時間の経過に伴い生じる患者の生理機能および身体寸法（この場合は小児を対象としている）の変化に順応するためのものである。キャニスタ内に設けられた回路構成要素のプログラミングは、キャニスタ上に配置された物理スイッチを使用して、またはこの場合に好ましいとされるように、プログラム用ペン型スキャナあるいは無線接続を使用して行うことができる。
【００２９】
キャニスタは、Ｓ−ＩＣＤに設けられた選択的除細動／除細動システムの陰極または陽極のいずれか一方として配置することができる。キャニスタを陰極とした場合には皮下コイル電極は陽極となる。これと同様に、キャニスタを陽極とした場合には皮下電極は陰極となる。
【００３０】
電気有効性状態にあるキャニスタハウジングからは、ＩＣＤおよび多くのＡＥＤで得られるものの中間とされるエネルギーおよび電圧が供給される。一般にＩＣＤに必須とされる、多くの二相波形を用いて入手した最高電圧は約７５０Ｖであり、これに関連した最高値である約４０ジュール（以下“Ｊ”）のエネルギーが必要である。また、一般にＡＥＤに必須とされる最高電圧は約２０００〜５０００Ｖであり、また、使用する型番および波形によって異なるが、該最高電圧に関連した最高値である約２００〜３６０Ｊのエネルギーが必要となる。本発明のＳ−ＩＣＤは約８００〜２０００Ｖの範囲内に含まれる最高電圧と、これに関連した約４０〜１５０Ｊのエネルギーを使用する。Ｓ−ＩＣＤの容量は約５０〜２００マイクロファラドの範囲内であってよい。
【００３１】
キャニスタ内に配置した検知回路構成要素は非常に高感度であり、生命にかかわる心室不整脈の有無を明確に表示することが可能である。検出アルゴリズムの特徴はプログラムが可能な点であり、該アルゴリズムはＶ−ＦＩＢおよび高い値のＶ−ＴＡＣＨ（＞２４０ｂｐｍ）の検出に焦点をあてている。実際に生命にかかわる状況において本発明のＳ−ＩＣＤが使用される機会は滅多にないが、その設計および実現の簡易性から、心臓電子生理学に携わる医師が、本発明によるＳ−ＩＣＤを低い危険性およびコストで大多数の患者に装着することが可能となっている。その結果、本発明によるＳ−ＩＣＤは主に、最も悪性の心律動障害の検出および治療に着目している。検出アルゴリズムを小児患者に適用できる可能性の一部として、上位値の範囲を、速度の速い上室性頻拍、およびさらに速度の速い心室細動の疾病が認められた小児患者に使用するべく上方に向かってプログラムすることができる。また、エネルギーレベルを下方に向かってプログラムすることにより、新生児および７歳未満の幼児の治療を行うことも可能である。
【００３２】
次に図４に進むと、本発明によるＳ−ＩＣＤの最適な皮下位置が図示されている。当業者には明白であるように、Ｓ−ＩＣＤの実位置は、埋め込み処置中に作成した皮下の空間内にあたる。この処置の間に心臓は露呈されず、また、該図中では、心臓は、患者の胸郭内でキャニスタおよびコイル電極が３次元的に配置されている場所を理解する上での補助のみを目的として概略的に図示されている。電気有効性を有するハウジングを備えたＳ−ＩＣＯキャニスタは、おおよそにおいて第５肋骨にあたる左中鎖骨線上に配置されている。皮下電極のリード２１が胸郭周囲にのびた皮下経路内を横断し、その末端に位置する電極端部が後方腋窩腺において、理想的には左肩甲骨の側方部分において終端している。こうすることで、キャニスタおよび皮下選択的除細動／除細動電極によって、心室心筋層の大部分に電流を流すための適度に優れた経路が得られる。
【００３３】
図５は、上記以外の本発明による形態が図示している。電気有効性を有するハウジングを備えたＳ−ＩＣＤキャニスタが、肩甲骨下方部分の先端のほぼ側方に位置する左後腋窩腺範囲内に配置されている。この位置への配置は小児が患者である場合に特に有利である。皮下電極のリード２１が、胸郭周囲にのびた皮下経路内において横断し、その末端に位置している電極端部が前胸部範囲内で、理想的には乳腺下にある皺内部で終端している。図６は図１に示した実施形態であるが、該図６ではＳ−ＩＣＤが胸郭部分の皮下に埋め込まれており、基端部検知電極２３、２５がおよそ左腋窩腺部分に配置され、選択的除細動／除細動電極が肩甲骨の下方部分先端のちょうど側方部分にあたる場所に配置されている。
【００３４】
図７は、本発明のＳ−ＩＣＤの埋め込み方法を図示している略図である。ほぼ心尖部の高さにあたる腋窩腺の左前部分に切開部位３１が形成されている。この切開部位はＳ−ＩＣＤ配置に選んだ部分とは異なる箇所にあり、該切開部位の選択は、特に、キャニスタの配置箇所が左乳腺下にある皺内部においてさらに中間に位置するように、また、リードが、左側肩甲骨の側方に位置した腋窩腺後方部分の周囲に配置されている（以降に記載の）イントロデューサを用いてさらに後方に移動するようにされている。上記の通りではあるが、切開部位は、埋め込みを施術する医師が適切であるとみなした胸郭上の任意の場所に切開することができるが、好ましい実施形態では、本発明によるＳ−ＩＣＤをこの部位に配置している。続けて、皮下に位置する経路３３が、乳腺下にある皺部分に対して中間部分にキャニスタ用として形成され、さらに、左肩甲骨に対して側方に位置した腋窩腺の左部分後方にリード用として形成される。
【００３５】
続けて、Ｓ−ＩＣＤキャニスタ１１が切開箇所の皮下部分、または左乳腺下にある皺部分にあたる皮下範囲中間部位に設置されている。皮下電極１３には、特別設計の湾曲状のイントロデューサセット４０（図８を参照のこと）が備えられている。該イントロデューサのセットは、湾曲した形状のトロカール４２と硬質材料で作られ、湾曲した形状のピールアウェイシース４４とを含んでいる。ピールアウェイシースの湾曲形状により、トロカールを用いて患者の皮下における空間に作成した胸郭部位周囲への配置が可能となる。シースは、電極の配置を潰れや屈曲がないようにすべく、その構造を十分硬質にする必要がある。好ましくは、該シースは生体適合可能なプラスチック材料で作成され、また、２本の区分に分裂できるようにその軸の全長にかけて穿孔が施されている。トロカールは基端部のハンドル４１と、湾曲した形状の心棒部分４３とを備えている。トロカールの末端部分４５は先細りした形状になっているため、患者の体内における皮下部位に形成した経路３３の細分割が可能になる。好ましくは、トロカール内にはセントラルルーメン４６を備える形でカニューレが挿入され、該トロカールは末端部分に形成した開口部４８内で終端している。汎用の麻酔剤を採用しない場合で、必要のある場合には、ルーメンを通って、またはトロカールの挿入時に使用する経路を麻酔で麻痺させるように設計された、湾曲し、細長い形状の針を通ってリドカインのような局部麻酔剤が流出される。湾曲した形状のピールアウェイシース４４は、シースを軸に沿った心棒４７に沿って２本に分裂するべく、基端部分に設けられたプルタブ部分４９を備えている。シースは、皮下経路を形成したした後に、トロカールを用いて挿入したガイドワイヤの全長にかけて被服される。次に、皮下経路が皮下の或る部位において終端するまで延長されるが、該或る部位とは、キャニスタの配置場所から経路終端地点にまで直線を引いた場合に、該直線が患者の左心室におけるかなりの部分を横断することで縁取られる部位を指す。続いて、ガイドワイヤがピールアウェイシースを残してシースが取り除かれる。その後、皮下におけるリードシステムが、シースを通して適切な部位に到達するまで挿入される。皮下におけるリードシステムが適切な部位に位置したら、プルタブ４９を用いてシースが２本に分裂され、その後取り除かれる。２つ以上の皮下電極を使用する場合には、湾曲形状の新しいピールアウェイシースを各シースに使用することができる。
【００３６】
長期使用の経静脈／心外膜を経由したＩＣＤリードシステムにより、過度の危険に晒される場合、または既に敗血症あるいはリード破裂のような困難が発生している場合には、Ｓ−ＩＣＤを成人への予防対策として使用することができる。またさらに、本発明によるＳ−ＩＣＤシステムの主要な使用法は、長期使用の静脈を経由したリードシステムに著しい管理上の問題が伴う場合に、生命にかかわる不整脈の危機に晒されている小児患者への予防対策となるとされている。これに加えて、標準的な経静脈型ＩＣＤを小児に使用した場合、患者の成長にリードシステムが追いつかないという問題が発生する。図９は、リードシステムに露呈している成長に伴う問題の解決が可能な、Ｓ−ＩＣＤ皮下型リードシステムの配置を図示している。上記と同じ場所に皮下電極の末端部分が配置されており、これにより、選択的除細動／除細動用のコイル電極２７および検知電極２３、２５を配置するのに適した場所が得られる。しかしながら、この時点では既に、絶縁リード２１は示唆された配置にはない。むしろ、リードは、特別に設計されたイントロデューサトロカールおよびシースと共に蛇行状に配置されているために、多数の起伏および湾曲形状を呈することができる。小児患者の成長に伴い、起伏または湾曲が、適切な電極配置を保持しながら、直線状となってリードシステムの長さが延長される。除細動用コイルの周囲に特別に形成した繊維性の瘢痕は、成長中においてその後部配置位置を維持するために該リードシステムを適切な箇所に固定する上で補助となり、また、先端が鋭く尖ったリードシステムあるいはねじ型の電極固定システム５２をリードの末端部分の先端に組み込むことによってリードの安定性を促進することも可能である（図１を参照のこと）。これ以外の固定システム、例えばフック、縫合等を用いることもできる。
【００３７】
図１０、図１１は、本発明によるＳ−ＩＣＤの別の実施形態を示している。この実施形態では、反対の極性を有する２つの皮下電極１３、１３’がキャニスタに設けられている。追加の皮下電極１３’は前記の電極と同一でなければならない。この実施形態では、選択的除細動／除細動を実施するためのエネルギーが、キャニスタの電気有効性を有する表面と２つのコイル電極２７、２７’の間に送られる。さらに、４つの検知電極２３、２３’、２５、２５’の内から最適な検知配置を選択するための手段がキャニスタ内に設けられている。２つの電極が心臓の同一側において皮下配置されている。図６に示しているように、一方の皮下電極１３は下方部分に配置され、他方の皮下電極１３’は上方部分に配置されている。また、２つの皮下電極を使用したシステムを用いることにより、キャニスタおよび一方の皮下電極が同一の極性を有し、他方の皮下電極がこれと反対の極性を有するともみなされる。
【００３８】
続いて図１２、図１３に進むと、本発明によるＳ−ＩＣＤのキャニスタ１１は、皮下の、肋骨付近およびこれと平行した部位に配置する上で特に有利である。キャニスタは長く薄型であるため、患者の肋骨の形状と合致することが可能である。図１２に示している実施形態では、キャニスタの直径は約０．５〜２ｃｍの範囲内であってよく、この場合には約１ｃｍが好ましいとされる。あるいは、本発明の範囲から逸脱しない限り、キャニスタの断面範囲を円形ではなく、図１３にあるように矩形または正方形にすることも可能である。キャニスタの長さを、患者の胸郭の寸法に従って変更することが可能である。現在、キャニスタの長さは約５〜１５ｃｍの範囲内であってよく、この場合には約１０ｃｍが好ましいとされる。キャニスタは患者の胸郭（肋骨）の湾曲形状に合致するべく湾曲している。湾曲部分の放射形状は患者の胸郭の寸法に従って変更され、この場合、小柄な患者には小型の放射形状が、また、大柄な患者には大型の放射形状が適用される。湾曲部分の放射形状部分は、患者の胸郭の寸法に従って、約５〜２５ｃｍの範囲内で変更することができる。またさらに、湾曲部分の放射形状をキャニスタ全範囲にかけて一定に揃える必要がないため、肋骨の形状により近づけることが可能となる。キャニスタは、湾曲部分の内側部分（凹部）に位置する電気有効性を有する表面１５と、該湾曲部分の外側部分（凸部）に位置する非電気有効性を有する表面１６とを備えている。接続口１９およびリード２１の基端部を除いて例証されていないこうした実施形態で使用するリードは既述したどのリードであってもよいが、この場合は図１に示したリードが好ましいとみなされている。
【００３９】
このキャニスタの回路構成要素は上記した回路構成要素と類似したものである。さらに、該キャニスタは、電気有効性を有する表面上または非電気有効性を有する表面上のいずれか一方に配置されている少なくとも１つの検知電極を任意で設けることができ、またさらに、該キャニスタ内の回路構成要素は、最適な検知電極の選択を可能にするべく上記のようにプログラム可能になっている。この場合、キャニスタは、図に示すように、その非電気有効性を有する表面上に配置された２つの検知電極２６、２８を備えているとされるが、その際、電極どうしは約１〜１０ｃｍ、好ましくは約３ｃｍの間隔をおいて離れている。しかしながら、上記のように検知電極を電気有効性を有する表面上に設けることも可能である。
【００４０】
図１２の実施形態は、皮下部分の、第４肋骨と第５肋骨の間、または第５肋骨と第６肋骨の間のいずれかにおける、左前第５肋骨の付近およびこれと平行した場所に埋め込まれると考えられる。しかしながら、これ以外の場所への埋め込みも可能である。
【００４１】
これ以外の本発明によるＳ−ＩＣＤの構成要素には皮下検査電極システムが含まれるが、該システムは、ＱＲＳ心律動検出システムと同様に、皮下における高圧衝撃電極システムを刺激するよう設計されている。該検査電極システムは、本来のＳ−ＩＣＤキャニスタと類似している表面範囲およびインピーダンスを備えた皮下パッチ電極を、除細動用ストリップ電極を含む皮下用ストリップ電極と、ＱＲＳ波を検知する２つのボタン電極と共に備えている。埋め込み可能なシステムと比較した信号の検出を最良化するべく様々な双極的空間を試験するために、数本の皮下用ストリップ電極の使用が可能である。
【００４２】
本発明によるＳ−ＩＣＤ装置およびその取り扱い方法は、本発明の示唆または本質的な特性から逸脱しない限り、上記以外の特別な形態で実現することが可能である。したがって、記述した実施形態は、全ての局面において、限定ではなく例証として考慮されるべきであり、該実施形態には、本発明の範囲は付属の特許請求項によって表され、そのため、特許請求項の意味およびこれと同等の範囲内に含まれる全ての変更が包括されるものとする。
【図面の簡単な説明】
【図１】
本発明による皮下用ＩＣＤ（Ｓ−ＩＣＤ）を示す略図である。
【図２】
本発明による皮下用電極の別の実施形態を示す略図である。
【図３】
本発明による皮下用電極のさらに別の実施形態を示す略図である。
【図４】患者の胸郭内に皮下的に埋め込んだ、図１に図示のＳ−ＩＣＤおよびリードを示す略図である。
【図５】
患者の胸郭内における別の部位に皮下的に埋め込んだ、図２に図示のＳ−ＩＣＤおよびリードを示す略図である。
【図６】
患者の胸郭内に皮下的に埋め込んだ、図３に図示のＳ−ＩＣＤおよびリードを示す略図である。
【図７】
好適な切開部位およびハウジングの埋め込み地点から、本発明による皮下用電極を終端地点までの皮下経路の作成方法を示す略図である。
【図８】
任意の既述の実施形態による該リード挿入方法を実施するためのイントロデューサのセットを示す略図である。
【図９】
本発明の別のＳ−ＩＣＤを示す略図であり、患者の胸郭内において皮下的および蛇行状に埋め込んだ状態にある、特に小児患者に使用するためのリードを示す略図である。
【図１０】
本発明によるＳ−ＩＣＤの別の実施形態を示す略図である。
【図１１】
患者の胸郭内における皮下部分に埋め込んだ状態にある、図１０に示したＳ−ＩＣＤの略図である。
【図１２】
またさらに別の実施形態を示す略図であり、ここでは、本発明によるＳ−ＩＣＤのキャニスタが、患者の肋骨付近、および該肋骨と平行して皮下的に配置する上で特に有利な形状にされている。
【図１３】
さらに別の実施形態を示す略図であり、ここでは、本発明によるＳ−ＩＣＤのキャニスタが、患者の肋骨付近、および該肋骨と平行して皮下的に配置する上で特に有利な形状にされている。
【図１】
2004508149.tif 000003
【図２】
2004508149.tif 000004
【図３】
2004508149.tif 000005
【図４】
2004508149.tif 000006
【図５】
2004508149.tif 000007
【図６】
2004508149.tif 000008
【図７】
2004508149.tif 000009
【図８】
2004508149.tif 000010
【図９】
2004508149.tif 000011
【図１０】
2004508149.tif 000012
【図１１】
2004508149.tif 000013
【図１２】
2004508149.tif 000014
【図１３】
2004508149.tif 000015
【国際公開パンフレット】
2004508149.tif 000016
2004508149.tif 000017
2004508149.tif 000018
2004508149.tif 000019
2004508149.tif 000020
2004508149.tif 000021
2004508149.tif 000022
2004508149.tif 000023
2004508149.tif 000024
2004508149.tif 000025
2004508149.tif 000026
2004508149.tif 000027
2004508149.tif 000028
2004508149.tif 000029
2004508149.tif 000030
2004508149.tif 000031
2004508149.tif 000032
2004508149.tif 000033
2004508149.tif 000034
2004508149.tif 000035
2004508149.tif 000036
2004508149.tif 000037
2004508149.tif 000038
2004508149.tif 000039
2004508149.tif 000040
2004508149.tif 000041
2004508149.tif 000042
2004508149.tif 000043
2004508149.tif 000044
2004508149.tif 000045
2004508149.tif 000046
2004508149.tif 000047
2004508149.tif 000048
2004508149.tif 000049
2004508149.tif 000050
2004508149.tif 000051
2004508149.tif 000052
2004508149.tif 000053
2004508149.tif 000054
2004508149.tif 000055
2004508149.tif 000056
2004508149.tif 000057
2004508149.tif 000058
2004508149.tif 000059
2004508149.tif 000060
2004508149.tif 000061
2004508149.tif 000062
2004508149.tif 000063
2004508149.tif 000064
2004508149.tif 000065
2004508149.tif 000066
2004508149.tif 000067
2004508149.tif 000068
2004508149.tif 000069
2004508149.tif 000070
2004508149.tif 000071
【国際公開パンフレット（コレクトバージョン）】
2004508149.tif 000072
2004508149.tif 000073
【国際調査報告】
2004508149.tif 000074
2004508149.tif 000075
2004508149.tif 000076
2004508149.tif 000077
2004508149.tif 000078